(57)【要約】【課題】  プレパンチ紙に両面印刷する場合に、用紙の表裏を反転させるスイッチバック方式の反転ローラ６２が用紙の穴に掛かり、反転ローラ６２が逆回転を開始したときにスリップして両面パスセンサ６０２へ到達が遅れ、紙詰まりと判定される。【解決手段】  用紙の表裏反転後のジャムを判定するためのジャムマージン時間を通常よりも長くするプレパンチ紙モードを操作部２５０から予め設定し、設定に基づいてジャム判定を行う。【選択図】  図５
2019108196.tif 000002
【特許請求の範囲】
【請求項１】
用紙に画像を印刷する画像形成装置において、
用紙を搬送する搬送手段と、
前記搬送手段により搬送される用紙の表裏を反転するために用紙をスイッチバック反転させる反転手段と、
前記反転手段により用紙が反転された後の搬送方向において、前記反転手段の下流に配置され、反転された用紙を検知するための用紙センサと、
前記反転手段により反転された用紙が所定時間以内に前記用紙センサに到達したか否かのジャムを判定し、ジャムと判定すると、用紙の搬送を停止させる制御手段と、
前記所定時間を通常よりも長くする所定モードを設定する設定手段と、
を有し、
前記制御手段は、前記設定手段の設定に基づいてジャムの判定を行うことを特徴とする画像形成装置。
【請求項２】
前記制御手段は、前記反転手段が用紙の搬送方向を逆転させ始めてから用紙が前記用紙センサに到達するまでの時間を、搬送遅れがない場合の計算上の時間にジャムマージンを加算した前記所定時間と比較することによりジャムの判定を行うことを特徴とする請求項１記載の画像形成装置。
【請求項３】
前記設定手段の設定に応じて前記ジャムマージンの時間が変更されることを特徴とする請求項２記載の画像形成装置。
【請求項４】
前記制御手段は、前記設定手段の設定に応じて前記搬送手段による用紙の搬送間隔を変更することを特徴とする請求項１乃至３の何れか１項に記載の画像形成装置。
【請求項５】
前記制御手段は、前記搬送手段により搬送される用紙のサイズが所定サイズである場合に、前記設定手段の設定に基づいてジャムの判定を行い、前記用紙のサイズが前記所定サイズでない場合は、前記設定手段の設定に拘わらず、前記所定時間を通常の時間としてジャムの判定を行うことを特徴とする請求項１乃至４の何れか１項に記載の画像形成装置。
【請求項６】
前記制御手段は、前記搬送手段により搬送される用紙のタイプが所定タイプである場合に、前記設定手段の設定に基づいてジャムの判定を行い、前記用紙のタイプが前記所定タイプでない場合は、前記設定手段の設定に拘わらず、前記所定時間を通常の時間としてジャムの判定を行うことを特徴とする請求項１乃至４の何れか１項に記載の画像形成装置。
【請求項７】
前記制御手段は、前記搬送手段により搬送される用紙のタイプに拘わらず、前記設定手段の設定に基づいてジャムの判定を行うことを特徴とする請求項１乃至４の何れか１項に記載の画像形成装置。
【請求項８】
前記所定タイプの用紙はファイリング用の穴が予め開けられたプレパンチ紙であることを特徴とする請求項６記載の画像形成装置。
【請求項９】
用紙の両面に印刷する画像形成装置において、
一面目に印刷された用紙の表裏を反転するために用紙をスイッチバック反転する反転手段と、
前記反転手段により反転された用紙が二面目への印刷のために搬送される両面搬送部と、
前記両面搬送部に配置され、用紙を検知するための用紙センサと、
前記反転手段により反転された用紙が所定時間以内に前記用紙センサに到達したか否かのジャムを判定し、ジャムと判定すると、用紙の搬送を停止させる制御手段と、
前記所定時間を通常よりも長くする所定モードを設定する設定手段と、
を有し、
前記制御手段は、前記設定手段の設定に基づいてジャムの判定を行うことを特徴とする画像形成装置。
【発明の詳細な説明】
【技術分野】
【０００１】
本発明は、複写機、プリンタ、ファクシミリ等の画像形成装置及びその制御方法に関するものである。
【背景技術】
【０００２】
近年、複写機、プリンタ、ファクシミリ等の画像形成装置は、用紙を節約して印刷したいというユーザーニーズから、用紙の表裏に印刷する両面印刷に対応したものが製品化されている。
【０００３】
両面印刷する際の用紙の表裏を反転する手段としては、シンプルな構成で装置の小型化が実現できることから、正逆転可能な搬送ローラ対によるスイッチバック方式が広く用いられている。
【先行技術文献】
【特許文献】
【０００４】
【特許文献１】特許第３１１０４３２号
【発明の概要】
【発明が解決しようとする課題】
【０００５】
しかしながら、特許文献１に記載されているスイッチバック方式の装置で、ファイルやバインダーなどに用紙を綴じるために、予め穴が開けられたプレパンチ紙に両面印刷する場合に以下の課題がある。それは、両面印刷の際、用紙を反転させるスイッチバックローラ（以降、反転ローラと表現する）部で、停止後の反転開始時にプレパンチ紙の穴の位置と反転ローラとが重なり、想定通りに用紙が搬送されない。即ち、反転ローラが穴の部分でスリップして、結果として紙詰まり（以降、ジャムと表現する）になることである。その結果、両面印刷の成果物が得られない課題があった。
【０００６】
本発明は、スイッチバックによる用紙の表裏反転時に紙詰まりと判定されることを抑制することを目的とする。
【課題を解決するための手段】
【０００７】
上記の課題を解決するために、本発明の画像形成装置は、用紙に画像を印刷する画像形成装置において、用紙を搬送する搬送手段と、前記搬送手段により搬送される用紙の表裏を反転するために用紙をスイッチバック反転させる反転手段と、前記反転手段により用紙が反転された後の搬送方向において、前記反転手段の下流に配置され、反転された用紙を検知するための用紙センサと、前記反転手段により反転された用紙が所定時間以内に前記用紙センサに到達したか否かのジャムを判定し、ジャムと判定すると、用紙の搬送を停止させる制御手段と、前記所定時間を通常よりも長くする所定モードを設定する設定手段と、を有し、前記制御手段は、前記設定手段の設定に基づいてジャムの判定を行うことを特徴とする。
【発明の効果】
【０００８】
本発明によれば、スイッチバックによる用紙の表裏反転時に紙詰まりと判定されることを抑制できる。
【図面の簡単な説明】
【０００９】
【図１】画像形成装置の断面図である。
【図２】画像形成装置の制御系を示すブロック図である。
【図３】印刷情報の構成を示す図である。
【図４】プレパンチ紙のためのモード設定のフローチャートである。
【図５】印刷制御を示すフローチャートである。
【図６】プレパンチ紙のための設定画面を示す図である。
【図７】プレパンチ紙のためのモード設定内容の説明図である。
【発明を実施するための形態】
【００１０】
以下、本発明の実施の形態について説明する。
【００１１】
まず、本発明の実施形態に係る画像形成装置の全体構成について、図１を参照して概略説明する。
【００１２】
図１は、本実施形態に係る画像形成装置の一形態である電子写真プリンタ１（以降、プリンタと表現する）の全体構成説明図である。
【００１３】
プリンタ１は、一定速度で回転する像担持体３１と現像器３２とをもつ画像形成部３がある。像担持体３１はその表面が不図示の帯電器により一様に帯電され、画像データに応じて変調されたレーザ光により露光され、像担持体３１に静電潜像が形成される。静電潜像は、現像器３２でトナー像に現像される。
【００１４】
プリンタ１には、用紙Ｐを給紙するための給紙部であるカセット１００が配置されている。更に、プリンタ１には、手差しトレイ２００が配置されている。
【００１５】
カセット１００は、収容される用紙サイズを識別する機能を有するカセットと、用紙Ｐを給紙するカセット給紙ローラ１０１と、カセット内の用紙有無を検知するカセット用紙有無センサ１０３を有している。
【００１６】
手差しトレイ２００は、用紙Ｐを給紙する手差しトレイ給紙ローラ２０１と、トレイ上の用紙有無を検知する手差しトレイ用紙有無センサ２０３を有している。
【００１７】
カセット１００に収納されている用紙Ｐは、カセット給紙ローラ１０１と分離手段（不図示）とにより、一枚ずつ分離給送されて送り出される。カセット１００から送り出された用紙Ｐは、カセット搬送ローラ１０２、搬送ローラ１０により搬送され、レジストレーションローラ２０に送られる。
【００１８】
また、手差しトレイ２００に載置されている用紙Ｐは、手差しトレイ給紙ローラ２０１と分離手段（不図示）とにより、一枚ずつ分離給送されて送り出される。
【００１９】
手差しトレイ２００から送り出された用紙Ｐは、手差しトレイ搬送ローラ２０２により搬送され、レジストレーションローラ２０に送られる。
【００２０】
カセット１００又は手差しトレイ２００から分離給送された用紙Ｐは、レジストレーションローラ２０により、像担持体３１に現像されたトナー像に同期するタイミングで、転写部Ｔに搬送される。
【００２１】
転写部Ｔでは、転写ローラ３３に印加される転写バイアスの作用によりトナー像が用紙Ｐに転写される。トナー画像を転写された用紙Ｐは、定着装置４へ搬送されることにより、用紙Ｐ上に画像が定着される。片面印刷の場合、用紙Ｐは、定着搬送ローラ４１、分岐フラッパ５１の作用により排紙部５の方向に搬送され、排紙ローラ５２により排紙部５にページ順に排紙積載される。
【００２２】
両面印刷の場合、一面目の画像形成が完了した用紙Ｐは、定着搬送ローラ４１、分岐フラッパ５１の作用により両面搬送部６の方向に搬送されるその後、用紙は両面搬送ローラ６１を経由して反転ローラ６２に搬送される。
【００２３】
反転ローラ６２は正回転して用紙Ｐを搬送するが、用紙Ｐの後端が所定の反転位置Ｒに達した時点で、反転ローラ６２が停止し、その後、反転ローラ６２は逆回転する。即ち、スイッチバック方式により用紙Ｐの表裏が反転される。用紙Ｐが反転位置Ｒに到達したことは、反転センサ６０１により用紙Ｐの後端が検知されてから所定距離搬送されたことにより判定される。
【００２４】
反転ローラ６２によりスイッチバックされた用紙Ｐは両面パスローラ６３側へ搬送され、両面パスローラ６３により再給紙ローラ６４に搬送される。
【００２５】
用紙Ｐは、再給紙ローラ６４により搬送され、用紙Ｐの先端が再給紙待機位置Ｓに達した時点で、再給紙ローラ６４は停止する。用紙Ｐが再給紙待機位置Ｓに到達したことは、再給紙センサ６５が用紙Ｐの先端を検知してから再給紙ローラ６５が所定距離用紙を搬送したことにより判定される。
【００２６】
二面目の印刷が可能になったタイミングで、再給紙ローラ６４の駆動が再開され、用紙Ｐがレジストレーションローラ２０まで搬送され、一面目と同様に二面目の画像形成が実行される。
【００２７】
そして、二面目のトナー像の定着が完了した用紙Ｐは、定着搬送ローラ４１、分岐フラッパ５１の作用により排紙部５の方向に搬送され、排紙ローラ５２により排紙部５に排出される。
【００２８】
次に、図２を用いて、図１のプリンタ１の電気的な制御ブロックについて説明する。
【００２９】
制御部としてのＣＰＵ１０００は、パソコンなどの外部機器１１００から送られる画像データをＵＳＢとＬＡＮで構成されているＩ／Ｆ２６０を介して通信を行う。そして、外部機器１１００から受信した印刷ジョブの内容に基づいてプリンタ１の動作を制御する。
【００３０】
図３に外部機器１１００から受信する印刷ジョブに含まれる印刷情報を示す。この印刷情報は、ＲＡＭ１００２に記憶され、ＣＰＵ１０００による印刷制御に使用される。
【００３１】
ＩＤナンバー４０１は、個々の印刷ジョブを識別するための情報である。用紙サイズ４０２は、印刷ジョブで使用する用紙の長さと幅の寸法を表す情報であり、ミリメートル単位で指定される。給紙口４０３は、用紙を給紙する給紙口を指定する情報である。排紙口４０４は、印刷した用紙排紙される排紙口を指定する情報である。印刷モード４０５は、用紙の坪量（ｇ／ｍ２）又は用紙の種類に応じた制御を指定するために準備されており、薄紙モード、普通紙モード、厚紙モード、ＡＵＴＯモードなどがある。片面／両面印刷４０６は、外部機器１１００又は操作部２５０で設定された片面／両面印刷の指定情報である。
【００３２】
図２の説明に戻って、ＲＯＭ１００１には、ＣＰＵ１０００が実行する、プリンタを制御するためのプログラムが格納されている。また、ＲＡＭ１００２は、プリンタを制御する際、処理データの読み書きをするために使用される。
【００３３】
プリント制御部１０１０は、ＣＰＵ１０００の指示に従い、帯電・現像・転写等の一連の高圧制御、スキャナモータ・レーザビーム等の光学系制御、ならびに定着制御を行う。また、プリント制御部１０１０は、これらの負荷の制御を行うと共に、負荷の動作状態を検出している。ＣＰＵ１０００は、プリント部１０１０で検出された動作状態から、予め決められた条件に従い、それぞれの負荷の故障を判断している。
【００３４】
搬送路のセンサ群６１０は、反転センサ６０１や再給紙センサ６５等の搬送路に配置された用紙センサが含まれる。ＣＰＵ１０００は、これらの用紙センサにより用紙の搬送状態を監視している。
【００３５】
操作部２５０は、印刷情報、印刷の進捗状態などの表示、また、ユーザによるプリンタの各種設定をするために使用される。
【００３６】
次に、図４、図５を用いて、本実施例のモード設定とプリント時の制御を説明する。図４、図５は、ＣＰＵ１０００が実行する処理のフローチャートである。このフローチャートは、スイッチバック方式による用紙の表裏反転制御において、プレパンチ紙に両面印刷するときの動作に関するものである。
【００３７】
フローチャートの説明に入る前に、プレパンチ紙を両面印刷した際に、図４、図５に示す制御が必要な理由を説明する。
【００３８】
プレパンチ紙とは、ファイルやバインダーなどに用紙を綴じるために、予めファイリング用の穴が開けられた用紙のことである。例えば、コンピュータバインダー用の２２穴やルーズリーフ用の２６穴（用紙サイズＢ５）、３０穴（用紙サイズＡ４）などが一般的に知られている。
【００３９】
本実施形態では、プレパンチ紙を印刷する場合の用紙の搬送方向は、用紙の穴が搬送方向の後端側になることを前提としている。
【００４０】
穴が搬送方向先端側となるようにカセット等からプレパンチ紙が給送される場合、給紙ローラが穴の部分でスリップしたり、給紙時に用紙先端が折れ曲がることがある。
【００４１】
また、穴の並びが搬送方向と平行になるようにプレパンチ紙を搬送する場合は、穴開き側の定着温度が高くなりすぎ、ダウンタイムが生じることがある。
【００４２】
そのため、プレパンチ紙は穴が搬送方向後端側となるようにカセット等から給紙される。
【００４３】
プレパンチ紙の穴を後端側にして搬送した場合、スイッチバック方式の構成では、反転ローラ６２の正回転が停止した状態では、反転ローラ６２が用紙後端側を保持した状態で停止する。ここで、反転ローラ６２がプレパンチ紙の穴に掛かった状態で停止して、反転ローラ６２を逆回転して、両面搬送部６に搬送を開始する際にスリップすることがある。
【００４４】
ここで、スイッチバック反転したプレパンチ紙に対して、反転ローラ６２の下流（反転後の搬送方向）に配置された両面パスセンサ６０２でジャム検知が行われる。反転ローラ６２が逆回転開始時にスリップし、用紙が両面パスセンサ６０２へ所定時間以内（搬送遅れのない搬送時間＋ジャムマージン時間Ｔｍ）までに到達しない場合は、ジャムと判定される。また、両面印刷の生産性が高い場合は、反転ローラ６２がスリップしている間に、次の用紙が搬送されてくると、その用紙を搬送するために反転ローラ６２が正回転を開始するため、スリップしていた用紙が反転ローラ６２の外側に押し出される。その結果、再給紙センサ６５のジャムマージ時間Ｔｍを超えてジャムと判定される。
【００４５】
なお、スイッチバック反転時のジャム判定に関しては、両面パスセンサ６０２ではなく、再給紙センサ６５を用いてもよい。
【００４６】
本実施形態では、このような反転ローラ６２のスリップ対策として、ジャムマージンを延長するプレパンチ紙モードが設定可能である。以下、具体的な制御について説明する。
【００４７】
図４は、プレパンチ紙に両面印刷する場合の所定モードとしてのプレパンチ紙モードの設定に関するフローチャートである。
【００４８】
プリンタ１の電源がＯＮすると、ＲＯＭ１００１に格納されている制御プログラムをＣＰＵ１０００が実行する。プリンタ起動後の待機状態（以降、スタンバイ状態と表現する）では、ＣＰＵ１０００は、操作部２５０において、図６に示すプレパンチ紙モード画面が選択されたかを監視している。
【００４９】
ＣＰＵ１０００がプレパンチ紙モード画面を選択されたと判断したら、図４のプレパンチ紙モード設定のフローチャートが開始される。図４のフローチャートの処理が終了すると、プリンタ１はスタンバイ状態に戻る。
【００５０】
スタンバイ状態で、ＣＰＵ１０００が外部機器１１００からの印刷情報をＩ／Ｆ２６０を介して受信すると、図５に示すプリント制御の処理がＣＰＵ１０００により開始される。図５のフローチャート処理が終了すると、プリンタ１は再びスタンバイ状態になる。
【００５１】
Ｓ１０１で、ユーザの操作により操作部２５０に表示された図６のプレパンチ紙モード画面において、ユーザがいずれかの設定を選択したら、ＣＰＵ１０００は選択された設定情報をＲＡＭ１００２に記憶する。
【００５２】
ユーザは、ＯＦＦ、モード１、モード２、モード３、モード４の５つの設定を選択できる。ＯＦＦ（モード０）は、通常モードであり、特にプレパンチ紙用の設定はなされない。即ち、反転ローラ６２により両面印刷のためのスイッチバック時のジャムマージンは非プレパンチ紙と同じである。モード１からモード４は、プレパンチ紙を両面印刷する場合に適用するプレパンチ紙モードである。
【００５３】
このプレパンチ紙モード画面による設定は、プリンタ１の初期設定情報として設定され、一度設定されたモードは、別のモードに変更されるまで維持される。
【００５４】
各モードの詳細内容については、後ほど説明する。
【００５５】
Ｓ１０２では、ＣＰＵ１０００は、プレパンチ紙モード画面において「実行」キー２５２が押下されたか否かを判断し、「実行」キー２５２が押下されるまで待つ。
【００５６】
Ｓ１０２で、ＣＰＵ１０００は、「実行」キー２５２が押下されたと判断したら、Ｓ１０３に進む。
【００５７】
Ｓ１０３では、ＣＰＵ１０００は、操作部２５０に表示された設定画面を非表示にして、設定の処理を終了する。
【００５８】
次に、図５のフローチャートを用いて、プリント時の制御を説明する。図５において、ＣＰＵ１０００が外部機器１１００からの印刷情報をＩ／Ｆ２６０を介して受信するとフローチャートの処理が開始される。ＣＰＵ１０００は、外部機器１１００から取得した印刷情報をＲＡＭ１００２に記憶する。ここでは、Ｂ５サイズのプレパンチ紙に印刷する場合の一例を示す。
【００５９】
Ｓ１１１では、ＣＰＵ１０００は、図４のＳ１０１で選択された設定情報をＲＡＭ１００２から読み出し、プレパンチ紙モードであるモード１からモード４のいずれかであるか或いはオフであるかを判断する。
【００６０】
プレパンチ紙モードであるモード１からモード４のいずれかが設定されている場合、ＣＰＵ１０００は、Ｓ１１２で、ジャムマージン時間Ｔｍをプレパンチ紙モードに応じたジャムマージン時間Ｔ１からＴ４の何れかに変更する。
【００６１】
ここで、プレパンチ紙モードの詳細について、図７を用いて説明する。
【００６２】
図７は、各モードに対するジャムマージン時間と１分間に印刷できる印刷ページ数（ＰＰＭ：Ｐｒｉｎｔ  Ｐｅｒ  Ｍｉｎｕｉｔ）を表している。モード０は、通常モードであり、ジャムマージン時間はＴ０である。初期状態は、モード０に設定されている。
【００６３】
モード１からモード４は、プレパンチ紙に両面印刷する場合に適用するプレパンチ紙モードである。各プレパンチ紙モードのジャムマージン時間の大小関係は、Ｔ１＜Ｔ２＜Ｔ３＜Ｔ４になっている。モード１→モード２→モード３→モード４の順番で、ジャムマージン時間が大きくなるので、プレパンチ紙の両面印刷に対する改善効果が高くなる。
【００６４】
モード１が選択された場合は、ＣＰＵ１０００は、両面パスセンサ６０２のジャムマージン時間Ｔｍをデフォルト値よりも延ばした値Ｔ１に変更する。この時の生産性は、ＯＦＦ時と同じ４０ＰＰＭである。即ち、生産性が低下しない範囲でジャムマージンＴｍが増加する。
【００６５】
モード２が選択された場合は、ＣＰＵ１０００は、両面パスセンサ６０２のジャムマージン時間ＴｍをＴ２に変更する。この時の生産性は、３０ＰＰＭである。
【００６６】
モード３が選択された場合は、ＣＰＵ１０００は、両面パスセンサ６０２のジャムマージン時間ＴｍをＴ３に変更する。この時の生産性は、２５ＰＰＭである。
【００６７】
モード４が選択された場合は、ＣＰＵ１０００は、両面パスセンサ６０２のジャムマージン時間ＴｍをＴ４に変更するとともに、次用紙の給紙タイミングを変更する。具体的には、反転ローラ６２を逆回転させて、スイッチバック反転された用紙が両面パスセンサ６０２に到達したことが検知されてから、次の用紙がカセット１００又は手差しトレイ２００から給紙される。この時の生産性は、１０ＰＰＭである。
【００６８】
Ｓ１１１において、設定モードがモード０である場合、ＣＰＵ１０００は、Ｓ１２０で、ジャムマージン時間Ｔｍを初期値Ｔ０にする。
【００６９】
ジャムマージン時間Ｔｍが設定されると、Ｓ１１３で、ＣＰＵ１０００は、ＲＡＭ１００２から図４に示す印刷情報を読み出し、読み出した印刷情報に基づき、プリント制御部１０１０を制御して、片面印刷又は両面印刷を実行する。なお、設定されたモード（０〜４）に応じたＰＰＭ値に従って、ＣＰＵ１０００は給紙間隔（搬送間隔）を制御している。
【００７０】
Ｓ１１４では、ＣＰＵ１０００は、ＲＡＭ１００２から印刷情報に含まれる片面／両面印刷４０６の情報に基づいて、両面印刷の一面目が実行されているか否かを判断する。Ｓ１１４で、両面印刷の一面目が実行されている場合は、ＣＰＵ１０００は、Ｓ１１５でスイッチバック反転時のジャム判断を行う。
【００７１】
具体的は、ＣＰＵ１０００は、Ｔｘ＜Ｔａ＋Ｔｍか否かを判断する。ここで、Ｔｘは、反転ローラ６２が逆回転を開始してからのプレパンチ紙が両面パスセンサ６０２に到達するのに要する実時間である。Ｔａは反転ローラ６２が逆回転を開始してからプレパンチ紙が両面パスセンサ６０２に到達するまでの搬送遅れがない場合の計算上の時間である。つまり、反転から紙先端が再給紙センサ６５に到達した実時間Ｔｘと、反転から紙先端が再給紙センサ６５に到達する計算上の時間Ｔａにジャムマージン時間Ｔｍを加算した時間とを比較して、ジャム判断を行っている。
【００７２】
Ｔｘ＜Ｔａ＋Ｔｍである場合は、ＣＰＵ１０００は、プレパンチ紙が正常にスイッチバック搬送されたと判断して、処理をＳ１１６に進める。
【００７３】
Ｓ１１６では、ＣＰＵ１０００は、最終ページの印刷を完了したか否かを判断して、最終ページの印刷が完了していない場合は、Ｓ１１３に戻って印刷を継続する。最終ページの印刷が完了していれば処理を終了する。
【００７４】
一方、Ｓ１１４で、両面印刷の一面目の印刷でない、即ち、片面印刷又は両面印刷の二面目である場合は、ＣＰＵ１０００は、Ｓ１１５におけるスイッチバック反転時のジャム判断は行わず、処理をＳ１１６に進める。
【００７５】
また、Ｓ１１５で、Ｔｘ＜Ｔａ＋Ｔｍでない場合、ＣＰＵ１０００は、スイッチバック反転時にジャムが発生したと判断し、Ｓ１２１にて印刷動作を停止させる。
【００７６】
そして、Ｓ１２２で、ＣＰＵ１０００はジャム処理が終了するまで待つ。
【００７７】
ＣＰＵ１０００は、ジャム処理終了したと判断したら、Ｓ１２３にて、ジャム紙のリカバリー設定を行い、Ｓ１１３に戻って印刷を継続する。
【００７８】
以上のように、本実施形態によれば、プレパンチ紙を両面印刷するためにジャムマージン時間を延長したモードを設ける。そして、ユーザがこのモードを選択することで、両面搬送部６の反転ローラ６２でのスリップが起こっても、反転ローラ６２の反転駆動時間が延びるためスリップ状態から脱出できるようになる。その結果、ジャムすることなく、両面印刷の継続が可能となる。
【００７９】
特に、小型化された装置では、両面搬送部６の搬送パスなどの制約などからスペースの確保が難しくなり、用紙の反転ローラ６２での停止位置が限定されることが考えられるので、高い効果が期待できる。
【００８０】
なお、本実施形態では、プレパンチ紙の両面印刷について述べているが、これに限定されるものではない。即ち、反転ローラでスリップしやすい他の所定タイプの用紙の両面印刷でも上述した制御を適用できる。
【００８１】
また、両面印刷時のスイッチバック反転だけでなく、片面印刷時においても、用紙の表裏をスイッチバック反転した後に排紙トレイへ排出する構成において、表裏反転排紙のためのスイッチバック反転にも上述した制御を適用できる。
【００８２】
また、搬送方向に直交する方向の用紙のサイズによっては、プレパンチ紙のスイッチバック反転時において、反転ローラのスリップの影響が少ない場合もある。従って、所定サイズの用紙が搬送されるときには、プレパンチ紙モードで設定されたモード（１〜４）に応じたジャムマージンを設定し、所定のサイズ以外の場合はデフォルト値のジャムマージンを設定するようにしてもよい。
【００８３】
また、搬送される用紙のタイプに拘わらず、プレパンチ紙モード画面で設定されたモード（０〜４）に応じたジャムマージンを設定してもよい。
【符号の説明】
【００８４】
６  両面搬送部
６２  反転ローラ
６３  両面パスローラ
２５０  操作部
６０１  反転センサ
６０２  両面パスセンサ
１０００  ＣＰＵ
【図１】
2019108196.tif 000003
【図２】
2019108196.tif 000004
【図３】
2019108196.tif 000005
【図４】
2019108196.tif 000006
【図５】
2019108196.tif 000007
【図６】
2019108196.tif 000008
【図７】
2019108196.tif 000009